(57)【要約】【課題】カラーシーケンシャル駆動を採用される場合において、より好適な態様で画像を表示させることを可能とする。【解決手段】互いに異なる複数の色成分それぞれに基づき生成され、かつフレームを構成するサブフレームごとに所定の順序で入力される、前記色成分ごとのデジタルの映像信号に対してディザ信号を加算する加算部と、前記ディザ信号が加算された前記デジタルの映像信号をアナログの映像信号にデジタル−アナログ変換する変換部と、前記フレーム内において、前記色成分ごとの前記デジタルの映像信号が入力される前記順序に応じた、複数の前記サブフレームを含む所定の周期ごとに、前記ディザ信号のパターンを制御する制御部と、を備える、表示装置【選択図】図１
2019053239.tif 000002
【特許請求の範囲】
【請求項１】
互いに異なる複数の色成分それぞれに基づき生成され、かつフレームを構成するサブフレームごとに所定の順序で入力される、前記色成分ごとのデジタルの映像信号に対してディザ信号を加算する加算部と、
前記ディザ信号が加算された前記デジタルの映像信号をアナログの映像信号にデジタル−アナログ変換する変換部と、
前記フレーム内において、前記色成分ごとの前記デジタルの映像信号が入力される前記順序に応じた、複数の前記サブフレームを含む所定の周期ごとに、前記ディザ信号のパターンを制御する制御部と、
を備える、表示装置。
【請求項２】
前記周期の長さは、前記フレームの長さよりも短い、請求項１に記載の表示装置。
【請求項３】
前記周期は、互いに隣接するサブフレームに対して互いに異なる前記色成分に対応した前記デジタルの映像信号が割り当てられるように設定される、請求項１に記載の表示装置。
【請求項４】
映像信号に基づき、画素に書き込むデータ信号を生成する信号処理部を備え、
前記信号処理部は、前記周期である第１の周期以上の長さを有する第２の周期ごとに前記データ信号の極性を制御する、
請求項１に記載の表示装置。
【請求項５】
前記第２の周期の長さは、フレーム単位の長さである、請求項４に記載の表示装置。
【請求項６】
前記加算部は、前記第１の周期ごとにおける画素ごとの前記ディザ信号の加算の有無が、当該第１の周期を超える長さを有する第３の周期ごとに切り替わるように制御する、請求項４に記載の表示装置。
【請求項７】
前記デジタル−アナログ変換のビット数は、前記デジタルの映像信号のビット数よりも小さい、請求項１に記載の表示装置。
【請求項８】
前記複数の色成分は、Ｒ成分、Ｇ成分、及びＢ成分を含む、請求項１に記載の表示装置。
【請求項９】
投影面に対して前記アナログの映像信号に基づく映像を投影することで、当該映像を表示させる投影部を備える、請求項１に記載の表示装置。
【請求項１０】
互いに異なる複数の色成分それぞれに基づき生成され、かつフレームを構成するサブフレームごとに所定の順序で入力される前記色成分ごとの映像信号に基づくデータ信号の極性を、複数のサブフレームを含む所定の周期ごとに制御する信号処理部と、
前記極性が制御された前記データ信号に基づき画素の動作を制御する制御部と、
を備える、表示装置。
【請求項１１】
前記所定の周期の長さは、フレーム単位の周期である、請求項１０に記載の表示装置。
【請求項１２】
互いに隣接するサブフレームに対して互いに異なる前記色成分に対応した前記データ信号が割り当てられる、請求項１０に記載の表示装置。
【請求項１３】
投影面に対して前記映像信号に基づく映像を投影することで、当該映像を表示させる投影部を備える、請求項１０に記載の表示装置。
【請求項１４】
コンピュータが、
互いに異なる複数の色成分それぞれに基づき生成され、かつフレームを構成するサブフレームごとに所定の順序で入力される、前記色成分ごとのデジタルの映像信号に対してディザ信号を加算することと、
前記ディザ信号が加算された前記デジタルの映像信号をアナログの映像信号にデジタル−アナログ変換することと、
前記フレーム内において、前記色成分ごとの前記デジタルの映像信号が入力される前記順序に応じた、複数の前記サブフレームを含む所定の周期ごとに、前記ディザ信号のパターンを制御することと、
を含む、表示装置の駆動方法。
【請求項１５】
コンピュータが、
互いに異なる複数の色成分それぞれに基づき生成され、かつフレームを構成するサブフレームごとに所定の順序で入力される前記色成分ごとの映像信号に基づくデータ信号の極性を、複数のサブフレームを含む所定の周期ごとに制御することと、
前記極性が制御された前記データ信号に基づき画素の動作を制御することと、
を含む、表示装置の駆動方法。
【発明の詳細な説明】
【技術分野】
【０００１】
本開示は、表示装置及び表示装置の駆動方法に関する。
【背景技術】
【０００２】
情報を視覚的に視認可能に提示する表示装置として、所謂プロジェクタのように、映像を投影面に投影することで情報を提示する投射型の表示装置が挙げられる。例えば、特許文献１には、投射型の表示装置の一例が開示されている。また、近年では、ＬＣＯＳ（Liquid  crystal  on  silicon、ＬＣＯＳは登録商標）技術を応用した投射型の表示装置が各種提案されている。
【先行技術文献】
【特許文献】
【０００３】
【特許文献１】特開２００８−１３０５２２号公報
【発明の概要】
【発明が解決しようとする課題】
【０００４】
ＬＣＯＳ技術を応用した投射型の表示装置としては、例えば、１枚のＬＣＯＳを利用した単板方式の表示装置と、３枚のＬＣＯＳを利用した３板方式の表示装置と、が挙げられる。３板方式では、例えば、３枚のＬＣＯＳそれぞれの異なる色（例えば、ＲＧＢ）の画像を生成し、各ＬＣＯＳにより生成された画像がプリズム等の光学系により合成されて提示される。これに対して、単板方式では、１枚のＬＣＯＳにより複数色の画像を提示することとなる。そのため、単板方式の表示装置では、複数色の画像それぞれ時分割で順次表示する、「カラーシーケンシャル駆動」と称される駆動方式が採用されている場合がある。
【０００５】
そこで、本開示では、カラーシーケンシャル駆動を採用される場合において、より好適な態様で画像を表示させることを可能とする技術について提案する。
【課題を解決するための手段】
【０００６】
本開示によれば、互いに異なる複数の色成分それぞれに基づき生成され、かつフレームを構成するサブフレームごとに所定の順序で入力される、前記色成分ごとのデジタルの映像信号に対してディザ信号を加算する加算部と、前記ディザ信号が加算された前記デジタルの映像信号をアナログの映像信号にデジタル−アナログ変換する変換部と、前記フレーム内において、前記色成分ごとの前記デジタルの映像信号が入力される前記順序に応じた、複数の前記サブフレームを含む所定の周期ごとに、前記ディザ信号のパターンを制御する制御部と、を備える、表示装置が提供される。
【０００７】
また、本開示によれば、互いに異なる複数の色成分それぞれに基づき生成され、かつフレームを構成するサブフレームごとに所定の順序で入力される前記色成分ごとの映像信号に基づくデータ信号の極性を、複数のサブフレームを含む所定の周期ごとに制御する信号処理部と、前記極性が制御された前記データ信号に基づき画素の動作を制御する制御部と、を備える、表示装置が提供される。
【０００８】
また、本開示によれば、コンピュータが、互いに異なる複数の色成分それぞれに基づき生成され、かつフレームを構成するサブフレームごとに所定の順序で入力される、前記色成分ごとのデジタルの映像信号に対してディザ信号を加算することと、前記ディザ信号が加算された前記デジタルの映像信号をアナログの映像信号にデジタル−アナログ変換することと、前記フレーム内において、前記色成分ごとの前記デジタルの映像信号が入力される前記順序に応じた、複数の前記サブフレームを含む所定の周期ごとに、前記ディザ信号のパターンを制御することと、を含む、表示装置の駆動方法が提供される。
【０００９】
また、本開示によれば、コンピュータが、互いに異なる複数の色成分それぞれに基づき生成され、かつフレームを構成するサブフレームごとに所定の順序で入力される前記色成分ごとの映像信号に基づくデータ信号の極性を、複数のサブフレームを含む所定の周期ごとに制御することと、前記極性が制御された前記データ信号に基づき画素の動作を制御することと、を含む、表示装置の駆動方法が提供される。
【発明の効果】
【００１０】
以上説明したように本開示によれば、カラーシーケンシャル駆動を採用される場合において、より好適な態様で画像を表示させることを可能とする技術が提供される。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態に係る表示装置の概略的な構成の一例について説明するための説明図である。
【図２】ＬＣＯＳを利用した単板式のプロジェクタの概略的な構成の一例について説明するための説明図である。
【図３】カラーシーケンシャル駆動の概要について説明するための説明図である。
【図４】比較例１に係る表示装置の構成の一例について説明するための説明図である。
【図５】比較例２に係る表示装置の構成の一例について説明するための説明図である。
【図６】映像信号に基づきデータ信号が生成される部分の信号処理の一例について概要を説明するための説明図である。
【図７】映像信号に基づきデータ信号が生成される部分の信号処理の他の一例について概要を説明するための説明図である。
【図８】映像信号に対するディザの適用に係る処理の一例について説明するための説明図である。
【図９】比較例２に係る表示装置の駆動方法の一例について概要を説明するための説明図である。
【図１０】比較例２に係る表示装置の駆動方法の一例について示したタイミング波形図である。
【図１１】本開示の第１の実施形態に係る表示装置の駆動方法の一例について概要を説明するための説明図である。
【図１２】同実施形態に係る表示装置の駆動方法の一例について示したタイミング波形図である。
【図１３】本開示の第２の実施形態に係る表示装置の機能構成の一例を示したブロック図である。
【図１４】同本実施形態に係る表示装置の駆動方法の一例について概要を説明するための説明図である。
【図１５】同実施形態に係る表示装置の機能構成の一例を示したブロック図である。
【図１６】同実施形態に係る表示装置の駆動方法の一例について示したタイミング波形図である。
【図１７】同実施形態に係る表示装置の一連の処理の流れの一例を示したフローチャートである。
【図１８】同実施形態の変形例１に係る表示装置の駆動方法の一例について説明するための説明図である。
【図１９】同実施形態の変形例１に係る表示装置の駆動方法の一例について示したタイミング波形図である。
【図２０】同実施形態の変形例２に係る表示装置の概要について説明するための説明図である。
【図２１】同実施形態の変形例２に係る表示装置における、映像信号に対するディザの適用に係る処理の一例について説明するための説明図である。
【図２２】本開示の一実施形態に係る表示装置の応用例について説明するための説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．はじめに
１．１．概略構成
１．２．アナログ駆動方式を採用した表示装置の構成例
１．３．映像信号に対するディザの適用
１．４．表示装置の駆動方法の一例
２．第１の実施形態
２．１．概要
２．２．技術的特徴
２．３．評価
３．第２の実施形態
３．１．概要
３．２．技術的特徴
３．３．変形例
３．４．評価
４．応用例
５．むすび
【００１５】
＜＜１．はじめに＞＞
＜１．１．概略構成＞
まず、本開示の一実施形態に係る表示装置の概略的な構成の一例について説明する。例えば、図１は、本開示の一実施形態に係る表示装置の概略的な構成の一例について説明するための説明図である。
【００１６】
図１に示すように、本実施形態に係る表示装置１００は、所謂プロジェクタのような投射型の表示装置として構成されており、例えば、壁面等を投影面として、提示対象となる表示情報を当該投影面に投影することで、ユーザに当該表示情報を提示する。例えば、図１に示す例では、表示装置１００は、所謂短焦点プロジェクタとして構成されており、参照符号Ｍ１０１で示した壁面に対して、表示情報を投影することで、当該表示情報をユーザに提示している。
【００１７】
また、本実施形態に係る表示装置１００は、１枚のＬＣＯＳ（Liquid  crystal  on  silicon、ＬＣＯＳは登録商標）を利用した単板式の構成が適用されている。そこで、以下に、ＬＣＯＳを利用した表示装置について概要を説明する。ＬＣＯＳを利用した表示装置としては、例えば、３板式と上記単板式とが知られている。
【００１８】
３板式の設計では、赤色成分（Ｒ成分）、緑色成分（Ｇ成分）、及び青色成分（Ｂ成分）それぞれ対して個別にＬＣＯＳチップが設けられる。即ち、３板式の場合には、各ＬＣＯＳチップを介して形成されるＲＧＢそれぞれの色成分の画像がプリズム等の光学系を介して光学的に合成され、当該合成後の画像が投影面に投影される。
【００１９】
これに対して、単板式の設計では、１つのＬＣＯＳチップによりＲＧＢそれぞれの色成分の画像を形成する必要がある。そのため、単板式の設計の場合には、例えば、「カラーシーケンシャル駆動」と称される駆動方式が適用される。カラーシーケンシャル駆動は、ＲＧＢそれぞれの色成分の画像を時分割で順次表示させる方式である。
【００２０】
ここで、図２を参照して、ＬＣＯＳを利用した単板式のプロジェクタの概略的な構成の一例について、特に、カラーシーケンシャル駆動を適用した場合に着目して説明する。図２は、ＬＣＯＳを利用した単板式のプロジェクタの概略的な構成の一例について説明するための説明図である。
【００２１】
ＬＣＯＳを利用した単板式のプロジェクタとして構成された表示装置１００は、例えば、光源１１０と、光学系１３０と、光変調素子１５０とを含む。
【００２２】
光学系１３０は、例えば、プリズムや投射光学系等の光学素子を含み得る。光学系１３０は、光源１１０から出射された光を、光変調素子１５０に導光させる。また、光学系１３０は、光変調素子１５０に導光され、当該光変調素子１５０で反射された光を、表示装置１００の外部に投光する（即ち、画像を投影する）。なお、光学系１３０のうち、光変調素子１５０で反射された光を表示装置１００の外部に投光する部分が、「投影部」の一例に相当する。
【００２３】
光変調素子１５０は、例えば、ＬＣＯＳチップとして構成され得る。この場合には、光変調素子１５０は、シリコン基板と透明基板とで液晶を挟み込むように構成されている。シリコン基板側には、液晶を駆動する駆動回路と、画素電極と、が設けられている。光学系１３０を介して光変調素子１５０に導光された光は、透明基板と液晶層とを透過した後に、画素電極にて反射される。また、画素電極にて反射された光は、液晶層と透明基板とを透過した後に、光学系１３０を介して表示装置１００の外部に出射する。このようにして出射された光が、表示装置１００の前面に位置する投影面Ｍ１０１に投光されることとなる。即ち、光変調素子１５０で光源１１０からの光が反射されることで画像が形成され、当該画像が投影面Ｍ１０１に投影されることとなる。
【００２４】
ここで、図２及び図３を参照して、カラーシーケンシャル駆動について説明する。図３は、カラーシーケンシャル駆動の概要について説明するための説明図である。例えば、図３において、参照符号Ｖ１１１、Ｖ１１３、及びＶ１１５は、Ｒ成分の画像、Ｇ成分の画像、及びＢ成分の画像をそれぞれ示している。即ち、図３に示すように、カラーシーケンシャル駆動においては、ＲＧＢそれぞれの色成分の画像を時分割で順次表示（投影）する。具体的には、図２に示すように、光源からＲＧＢそれぞれの色成分の光を時分割で照射し、各色成分の光の照射タイミングに応じて、光変調素子１５０の液晶層を駆動させる。これにより、表示装置１００からは、ＲＧＢそれぞれの色成分の画像が時分割で順次投影されることとなる。なお、一般的には、５０〜６０Ｈｚ以上のフレームレートの場合には、ユーザには、個々の画像が個別に認識されず、一連の連続した画像として認識される。即ち、ユーザには、時分割で順次投影されるＲＧＢそれぞれの色成分の画像が合成された合成画像として知覚されることとなる。
【００２５】
また、本実施形態に係る表示装置１００は、デジタルの映像信号をアナログ信号にデジタル−アナログ変換（ＤＡ変換）し、当該アナログ信号を光変調素子１５０の画素に書き込むことで、当該映像信号に応じた画像を表示させる。即ち、本実施形態に係る表示装置１００において、表示される画像の階調は、各画素に書き込まれる上記アナログ信号の電圧に応じて決定される。換言すると、本実施形態に係る表示装置１００においては、表示される画像の階調は、当該画像を表示させるために出力される光の強度（即ち、発光輝度）に応じて決定されることとなる。以降では、このような表示装置の駆動方式を「アナログ駆動方式」とも称する。
【００２６】
なお、表示装置の駆動方式としては、上記「アナログ駆動方式」以外にも、「デジタル駆動方式」と称される方式が知られている。デジタル駆動方式では、画像を表示させるために出力される光の階調自体はオンまたはオフの場合のいずれかの階調となり、発光面積や発光時間により、オンの場合の階調とオフの場合の階調との間の中間階調が表現される。具体的な一例として、デジタル駆動方式では、所定の期間（例えば、フレーム）を占める発光時間を制御することで、表示される画像の階調が表現される。
【００２７】
以上、図１〜図３を参照して、本開示の一実施形態に係る表示装置の概略的な構成の一例について説明した。
【００２８】
＜１．２．アナログ駆動方式を採用した表示装置の構成例＞
続いて、本実施形態に係る表示装置の特徴をよりわかりやすくするために、比較例１として、アナログ駆動方式を採用した表示装置の一般的な構成の一例について説明する。例えば、図４は、比較例１に係る表示装置の構成の一例について説明するための説明図である。なお、図４は、主に、図２に示す例における光変調素子１５０に相当する部分の構成を示している。
【００２９】
図４に示すように、表示装置１８０は、表示パネル１８１と、タイミング制御部１８２と、シリアル−パラレル変換部１８３と、ガンマ回路１８４と、ソースドライバ１８５と、ゲートドライバ１８６とを含む。
【００３０】
表示パネル１８１は、マトリクス状に配列された複数の画素を含む。各画素には、表示装置１８０に入力される映像信号に応じたデータ信号（換言すると、液晶の駆動信号）が後述するソースドライバ１８５から供給され、タイミング制御のための駆動パルスが後述するゲートドライバ１８６から供給される。このとき、各画素に対してソースドライバ１８５から供給されるデータ信号の電圧に応じて液晶の状態（換言すると、液晶の駆動）が制御されることで、各画素により反射される光の位相が変調され、これにより表示される画像の階調が制御される。具体的には、光源から出射された光は、表示パネル１８１で反射され、所定の投射光学系を介して外部に投射される。このとき、表示パネル１８１で反射された光の強度が、当該表示パネル１８１を構成する各画素に供給されるデータ信号に応じて制御される。また、各画素に供給される駆動パルスに応じて、当該画像の表示タイミングが制御される。
【００３１】
なお、表示パネル１８１には、ソースドライバ１８５と各画素とを接続する信号線（データ線）と、ゲートドライバ１８６と各画素とを接続する信号線（走査線）とが配されている。即ち、ソースドライバ１８５からのデータ信号は、データ線を介して対応する画素に供給される。また、ゲートドライバ１８６からの駆動パルスは、走査線を介して対応する画素に供給される。
【００３２】
タイミング制御部１８２は、各種動作の基準となるタイミング信号（例えば、クロックパルス）を生成し、生成した当該タイミング信号を、表示装置１８０内の所望の構成に供給する。これにより、表示装置１８０内の各構成を、当該タイミング信号に同期して動作させることが可能となり、ひいては、当該各構成間において、動作タイミングを同期させることが可能となる。
【００３３】
シリアル−パラレル変換部１８３は、シリアル信号として入力される映像信号をパラレル信号に変換する。このとき、シリアル−パラレル変換部１８３は、例えば、タイミング制御部１８２から供給されるタイミング信号に同期して、シリアルからパラレルへの変換に係る処理を実行する。シリアル−パラレル変換部１８３は、上記変換後の映像信号（パラレル信号）を、後段に位置するソースドライバ１８５に出力する。これにより、例えば、複数の画素それぞれに対応する映像信号がシリアルに配列された信号が、画素ごとの映像信号に分離されて、当該画素ごとの映像信号がソースドライバ１８５に並列に入力される。
【００３４】
ソースドライバ１８５は、シリアル−パラレル変換部１８３から出力されるデジタルの映像信号に対してＤＡ変換等の信号処理を施すことでアナログのデータ信号を生成し、表示パネル１８１を構成する各画素にデータ線を介して当該データ信号を供給する。これにより、当該データ信号に応じた電圧が対応する画素に書き込まれる。
【００３５】
ガンマ回路１８４は、ソースドライバ１８５の内部に含まれるＤＡ変換器のラダー抵抗に対して基準電圧を与える。
【００３６】
ゲートドライバ１８６は、表示パネル１８１を構成する各画素に対して、走査線を介して駆動信号を供給することで、当該画素の駆動タイミングを制御する。
【００３７】
以上、比較例１として、図４を参照して、アナログ駆動方式を採用した表示装置の一般的な構成の一例について説明した。
【００３８】
＜１．３．映像信号に対するディザの適用＞
続いて、アナログ駆動方式の表示装置において階調を表現するための技術の一例として、映像信号に対してディザを適用することで中間階調を表現する手法について概要を説明する。
【００３９】
まず、比較例２として、映像信号に対してディザを適用可能に構成した表示装置の構成の一例について説明する。例えば、図５は、比較例２に係る表示装置の構成の一例について説明するための説明図であり、図４に示す表示装置１８０を、映像信号にディザを適用可能に構成した場合の一例について示している。なお、図５は、主に、図２に示す例における光変調素子１５０に相当する部分の構成を示している。
【００４０】
図５に示すように、比較例２に係る表示装置１９０は、表示パネル１９１と、タイミング制御部１９２と、シリアル−パラレル変化部１９３と、ガンマ回路１９４と、ソースドライバ１９５と、ゲートドライバ１９６と、ディザ信号加算部１９７とを含む。なお、表示パネル１９１、タイミング制御部１９２、シリアル−パラレル変化部１９３、ガンマ回路１９４、ソースドライバ１９５、及びゲートドライバ１９６は、図４に示す例における、表示パネル１８１、タイミング制御部１８２、シリアル−パラレル変換部１８３と、ガンマ回路１８４、ソースドライバ１８５と、及びゲートドライバ１８６にそれぞれ対応している。即ち、比較例２に係る表示装置１９０は、ディザ信号加算部１９７を含む点で、図４に示す比較例１に係る表示装置１８０と異なる。そこで、表示装置１９０の構成については、表示装置１８０と異なる部分に着目して説明し、その他の構成については詳細な説明は省略する。
【００４１】
ディザ信号加算部１９７は、シリアル−パラレル変化部１９３から出力される映像信号に対して、ディザ信号を加算する。このとき、ディザ信号加算部１９７は、画素ごとの映像信号に対して、所定のディザパターンに応じてディザ信号を加算してもよい。また、ディザ信号加算部１９７は、入力されるシグナル（例えば、後述するＦＩＤ、ＨＦＩＤ等）に応じて、映像信号に対してディザ信号を適用するパターン（即ち、ディザパターン）を選択的に切り替えてもよい。そして、ディザ信号加算部１９７は、ディザ信号が加算された映像信号（デジタル信号）を、後段に位置するソースドライバ１８５に出力する。
【００４２】
ここで、映像信号に対してディザを適用する場合の信号処理の流れの概要と、当該ディザの適用により奏する作用効果とについて説明する。まず、図６を参照して、図４を参照して説明した比較例１に係る表示装置１９０の場合を例に、映像信号に対してディザを適用しない場合の信号処理の流れの一例について、特に、入力された映像信号に基づきデータ信号が生成される部分に着目して説明する。図６は、映像信号に基づきデータ信号が生成される部分の信号処理の一例について概要を説明するための説明図であり、比較例１に係る表示装置における信号処理の流れの一例について示している。
【００４３】
図６に示すように、Ｎビットのデジタルの映像信号は、ＤＡ変換部によりデジタル−アナログ変換が施されることでアナログの映像信号に変換され、当該映像信号に基づくデータ信号が各画素に供給される。即ち、当該データ信号に応じたアナログ電圧が当該画素に書き込まれる。このとき、入力されるデジタルの映像信号に対して、当該映像信号のビット数と同じ分解能で各種処理（例えば、デジタル−アナログ変換）が施されることで、当該映像信号が示す階調が忠実に再現される。即ち、Ｎビットのデジタルの映像信号に対して、Ｎビットのデジタル−アナログ変換が施されることで、当該映像信号が示す階調を忠実に再現することが可能となる。
【００４４】
一方で、映像信号に対して施される処理のビット数がより大きいほど、当該処理を担う構成の回路規模がより大きくなる傾向にある。例えば、ＤＡ変換部に着目した場合には、デジタル−アナログ変換のビット数がより大きいほど、配線の数がより多くなる傾向にあり、例えば、１ビット増加することで配線の数が２倍以上に増える場合がある。
【００４５】
これに対して、映像信号に対してディザを適用する構成とすることで、ＤＡ変換部によるデジタル−アナログ変換のように、当該映像信号に対して施される処理のビット数を低減することが可能となる。例えば、図７は、映像信号に基づきデータ信号が生成される部分の信号処理の他の一例について概要を説明するための説明図であり、比較例２に係る表示装置１９０における信号処理の流れの一例（即ち、映像信号に対してディザを適用する場合の一例）について示している。
【００４６】
図７に示すように、変形例２に係る表示装置１９０では、入力されるＮビットのデジタルの映像信号に対して、ディザ信号が加算され、当該ディザ信号が加算された当該映像信号に対してデジタル−アナログ変換が施される。なお、図７に示す例では、映像信号に対するディザ信号の加算が、フレームごとに制御される。具体的な一例として、図７に示す例では、奇数フレームの場合には、映像信号に対してディザ信号が加算されず、偶数フレームの場合に映像信号に対してディザ信号が加算されている。
【００４７】
また、図７に示す例では、入力される映像信号に対して施される、ディザの加算に係る処理と、デジタル−アナログ変換に係る処理と、のそれぞれの分解能（即ち、ビット数）が、当該映像信号のビット数よりも１ビット小さく設定されている。なお、一般的には、Ｎビットのデジタル信号に対して、Ｎ−１ビットのデジタル−アナログ変換が施される場合には、当該変換に係る処理のビット数では表現できない中間階調の情報が損なわれることとなる。一方で、図７に示すように、映像信号に対してディザを適用することで、映像信号に対して施されるデジタル−アナログ変換のビット数が当該映像信号のビット数よりも小さい場合においても、上記中間階調を表現することが可能となる。
【００４８】
例えば、図８は、映像信号に対するディザの適用に係る処理の一例について説明するための説明図であり、入力される映像信号と、ディザ適用後の信号との関係の一例を模式的に示している。なお、図８では、入力信号のビット数が４ビットであり、ディザ適用後の信号のビット数が３ビットである場合の一例について示している。また、ディザ適用後の信号については、時系列に沿ってフレームごとにビット値を示している。
【００４９】
図８に示すように、４ビットの入力信号が３ビットの信号に変換された場合には、例えば、末尾の１ビットの情報が損なわれる。そのため、４ビットの入力信号の末尾のビットが「０」の場合（例えば、「００００」、「００１０」の場合）には、３ビットの信号に変換された場合にも再現が可能であるが、入力信号の末尾のビットが「１」の場合（例えば、「０００１」、「００１１」の場合）には、３ビットの信号では再現が困難である。そのため、図８に示す例では、４ビットの入力信号のビット値（換言すると、階調）に応じて、３ビットに変換後の信号に対してフレームごとにディザ信号を加算することで、３ビットでは表現が困難な中間階調を再現している。
【００５０】
具体的には、参照符号Ｄ１０１で示すように、入力信号のビット値が「０００１」の場合には、３ビットに変換後の信号のビット値である「０００」に対して、偶数フレームにおいてディザ信号としてビット値を「＋１」している。即ち、入力信号のビット値が「０００１」の場合には、ディザ適用後の信号としては、フレームごとに「０００」と「００１」とが時分割で出力される。そのため、ユーザは、ビット値「０００」に対応する階調の光と、ビット値「００１」に対応する階調の光と、をフレームごとに時分割で視認することとなる。これにより、当該ユーザには、「０００」と「００１」との中間階調（即ち、ビット値「０００１」に対応する光）として知覚される。
【００５１】
同様に、参照符号Ｄ１０３で示すように、入力信号のビット値が「００１１」の場合には、ディザ適用後の信号としては、フレームごとに「０１０」と「０１１」とが時分割で出力されることとなる。
【００５２】
以上のようにディザが適用されることで、ビット数の低下に伴いビット値のみでは再現が困難な中間階調（例えば、図８に示す「０００１」、「００１１」）を、入力信号よりもビット数の低い信号により再現することが可能となる。即ち、ディザの適用に伴い、回路規模をより小さくすることが可能となり、装置の小型化や生産コストの低減を実現することが可能となる。
【００５３】
＜１．４．表示装置の駆動方法の一例＞
ここで、入力される映像信号に対してディザを適用する場合における表示装置の駆動方法の一例について、図５〜図８を参照して説明した比較例２に係る表示装置の場合を例に説明する。
【００５４】
例えば、図９は、比較例２に係る表示装置の駆動方法の一例について概要を説明するための説明図である。図９に示す例では、入力される映像信号に応じたＲＧＢそれぞれの色成分に対応するデータ信号（換言すると、液晶の駆動信号）が画素に供給されるタイミングを示している。例えば、参照符号Ｄ３１ｒ及びＤ３３ｒは、Ｒ成分に対応するデータ信号を模式的に示している。また、参照符号Ｄ３１ｇ及びＤ３３ｇは、Ｇ成分に対応するデータ信号を模式的に示している。また、参照符号Ｄ３１ｂ及びＤ３３ｂは、Ｂ成分に対応するデータ信号を模式的に示している。
【００５５】
具体的には、液晶は直流電圧を印可することにより劣化が促進するため、液晶の駆動には交流電圧を加えることで駆動する交流反転駆動（交流電圧駆動）が採用されている。また、液晶を採用した表示装置（例えば、ＬＣＯＳ等）においてカラーシーケンシャル駆動を行う場合には、所定の期間（例えば、１フレーム）内において、各色成分のＤＣバランスがとれるような制御が行われる。具体的な一例としては、当該所定の期間内において、色成分ごとに、＋極性（正極）の信号の数と−極性（負極）の信号の数とが略等しく、かつ、＋極性を示す時間と−極性を示す時間とが略等しくなるように、表示装置の駆動が制御される。
【００５６】
なお、図９に示す色の順序はあくまで一例であり、上記条件が満たされれば、色の順序は必ずしも限定はされない。具体的な一例として、フレームごとに異なる色成分に対応する映像信号が順次入力されてもよい。この場合には、各画素には、当該色成分ごとの映像信号の順序に応じて、当該色成分に対応するデータ信号が各画素に順次供給されることとなる。
【００５７】
また、図９に示す例では、入力される映像信号に対するディザの適用に係る制御のタイミングについても示している。図９に示す例では、４×４の画素のうち、ディザを適用する画素を所定の期間ごと（例えば、フレームごと）に切り替えている。図９において、参照符号Ｄ２１０及びＤ２３０は、４×４の画素に対するディザの適用の有無を示したパターン（以降では、「ディザパターン」とも称する）を模式的に示している。即ち、ディザパターンＤ２１０及びＤ２３０では、４×４の画素のうち、ディザを適用する画素については「１」が設定され、ディザを適用しない画素については「０」が設定されている。また、ディザパターンＤ２１０及びＤ２３０間においては、画素ごとのディザの適用の有無が反転している。
【００５８】
続いて、図１０を参照して、図５を参照して説明した比較例２に係る表示装置１９０を、図９に示す例のように駆動させる場合における制御タイミングの一例について説明する。図１０は、比較例２に係る表示装置の駆動方法の一例について示したタイミング波形図である。
【００５９】
図１０において、ＳＦＩＤは、入力される映像信号に応じたＲＧＢそれぞれの色成分に対応するデータ信号を、画素に供給するタイミングを制御するための同期信号を示している。即ち、ＳＦＩＤがハイレベルを示す場合には、＋極性のデータ信号が画素に供給され、ＳＦＩＤがローレベルを示す場合には、−極性のデータ信号が画素に供給される。
【００６０】
また、Ｄｉｔｈｅｒは、映像信号に対して適用されるディザパターンを示している。即ち、Ｄｉｔｈｅｒの値が「０」の場合には、映像信号に対して、図９に示すディザパターンＤ２１０が適用される。また、Ｄｉｔｈｅｒの値が「１」の場合には、映像信号に対して、図９に示すディザパターンＤ２３０が適用される。
【００６１】
ディザパターンの切り替えは、例えば、ＦＩＤ及びＨＦＩＤのうちのいずれかの制御信号に基づき制御される。このとき、例えば、当該制御信号がハイレベルを示す場合には、Ｄｉｔｈｅｒの値が「０」に設定され、図９に示すディザパターンＤ２１０が適用される。また、当該制御信号がローレベルを示す場合には、Ｄｉｔｈｅｒの値が「１」に設定され、図９に示すディザパターンＤ２３０が適用される。なお、図１０に示す例では、ＦＩＤは、１フレームごとにハイレベルとローレベルが切り替わる。また、ＨＦＩＤは、２フレームごとにハイレベルとローレベルが切り替わる。即ち、図１０に示す例では、ＦＩＤに基づきディザパターンが切り替えられており、１フレームごとにディザパターンが切り替えられることとなる。
【００６２】
以上、図９及び図１０を参照して、入力される映像信号に対してディザを適用する場合における表示装置の駆動方法の一例について、図５〜図８を参照して説明した比較例２に係る表示装置の場合を例に説明した。
【００６３】
＜＜２．第１の実施形態＞＞
＜２．１．概要＞
続いて、本開示の第１の実施形態として、カラーシーケンシャル駆動を行う場合において、より好適な態様で各色成分のＤＣバランスがとれるように制御するための技術の一例について説明する。
【００６４】
前述したように、液晶を採用した表示装置においてカラーシーケンシャル駆動を行う場合には、所定の期間内において、各色成分のＤＣバランスがとれるような制御を行うことが望ましい。具体的な一例として、図９及び図１０を参照して説明した例では、１フレームが８サブフレームで構成されており、１サブフレームごとに各画素に対してデータ信号が供給され、換言すると、１サブフレームごとにデータ信号の極性が制御されている。
【００６５】
一方で、図９及び図１０に示す例では、ＲＧＢの３色を出力する場合を想定しており、１フレームが８サブフレームで構成されている場合には、ＤＣバランスの制約により、１色のみ（例えば、Ｇ成分のみ）、他の色に比べてデータ信号が供給される期間が長くなる。このような状況下では、ＲＧＢそれぞれの色成分に対応する画像間において明るさのバランスがずれ、例えば、ホワイトバランスのずれとして顕在化する場合がある。このようなずれは、製品設計上での制約となり得る。また、カラーシーケンシャル駆動において、一部の色について他の色よりも表示期間が長くなると、当該一部の色の残蔵が視認されるカラーブレークアップと称される現象が顕在化しやすくなる場合がある。
【００６６】
そこで、本実施形態では、カラーシーケンシャル駆動を行う場合において、より好適な態様で各色成分のＤＣバランスがとれるように制御し、ひいては、カラーブレークアップ現象の顕在化を抑制することが可能な技術の一例について提案する。
【００６７】
＜２．２．技術的特徴＞
以下に、本実施形態に係る表示装置の技術的特徴について説明する。例えば、図１１は、本開示の第１の実施形態に係る表示装置の駆動方法の一例について概要を説明するための説明図である。図１１は、図９に示す例と同様に、入力される映像信号に応じたＲＧＢそれぞれの色成分に対応するデータ信号（換言すると、液晶の駆動信号）が画素に供給されるタイミングを示している。図１１において、参照符号Ｄ３１ｒ、Ｄ３１ｇ、Ｄ３１ｂ、Ｄ３３ｒ、Ｄ３３ｇ、及びＤ３３ｂそれぞれが付されたデータ信号は、図９において同様の符号が付されたデータ信号にそれぞれ相当する。
【００６８】
本実施形態に係る表示装置は、複数のサブフレームを含む所定の期間ごとにデータ信号の極性を反転させ、極性反転前の期間と極性反転後の期間とを含む一連の期間において各色成分のＤＣバランスがとられるように制御する。
【００６９】
例えば、図１１に示す例では、１フレームごとにデータ信号の極性を反転させ、連続する２フレーム内において各色成分のＤＣバランスがとられるように制御している。具体的には、参照符号Ｔ１１で示す期間（フレーム）では、正の極性を有するＲ成分のデータ信号Ｄ３１ｒから開始し、サブフレームごとに、Ｒ、Ｇ、Ｂの順でデータ信号が各画素に供給されるように制御される。また、このとき、交流反転駆動が行われる。即ち、サブフレームごとに、データ信号の極性が反転される。また、期間Ｔ１１に連続する期間Ｔ１３（フレーム）では、期間Ｔ１１において順次供給されるデータ信号の極性が反転される。具体的には、期間Ｔ１３にでは、負の極性を有するＲ成分のデータ信号Ｄ３３ｒから開始し、サブフレームごとに、Ｒ、Ｇ、Ｂの順でデータ信号が各画素に供給されるように制御される。このような構成の基で、図１０に示す例では、連続する期間Ｔ１１及びＴ１３を含む一連の期間Ｔ１５（即ち、２フレーム分の期間）において、各色成分のＤＣバランスがとられるように制御される。即ち、期間Ｔ１５において、色成分ごとに、＋極性（正極）の信号の数と−極性（負極）の信号の数とが略等しく、かつ、＋極性を示す時間と−極性を示す時間とが略等しくなるように制御される。
【００７０】
また、図１２は、本実施形態に係る表示装置の駆動方法の一例について示したタイミング波形図であり、図１１に示す例のように表示装置を駆動させる場合における制御タイミングの一例について示している。なお、図１１に示すように、フレームごとにデータ信号の極性を反転させる場合には、例えば、図１２に示すＦＩＤのように、フレームごとにハイレベルとローレベルとが切り替わる駆動信号に基づき、当該極性の反転に係る制御が実行されればよい。
【００７１】
なお、本実施形態に係る表示装置を、前述した比較例２に係る表示装置と同様に、ディザパターンの切り替えをフレーム単位で行う場合には、図１１に示す期間Ｔ１５ごと（即ち、２フレームごと）にディザパターンの切り替えを行うこととなる。即ち、この場合には、例えば、図１２に示すＨＦＩＤのように、２フレームごとにハイレベルとローレベルとが切り替わる駆動信号に基づき、ディザパターンの切り替えに係る制御が実行されることとなる。
【００７２】
以上、図１１及び図１２を参照して、本実施形態に係る表示装置の技術的特徴について説明した。
【００７３】
＜２．３．評価＞
以上説明したように、本実施形態に係る表示装置は、互いに異なる複数の色成分それぞれに基づき生成され、かつサブフレームごとに所定の順序で入力される当該色成分ごとの映像信号に基づくデータ信号の極性を、複数のサブフレームを含む所定の周期ごとに制御する。即ち、当該表示装置は、極性が制御された上記データ信号に基づき画素の動作を制御する（例えば、当該画素に極性が制御されたデータ信号を供給する）こととなる。
【００７４】
以上のような制御により、本実施形態に係る表示装置に依れば、１フレーム内において各画素に順次供給されるデータ信号の色順や、１フレーム内における各色成分に対応するデータ信号の数等の制約が、前述した各比較例に係る表示装置に比べて緩和される。即ち、本実施形態に係る表示装置に依れば、前述した各比較例に係る表示装置に比べて、製品設計上の制約をより緩和することが可能となる。
【００７５】
また、図１１及び図１２に示すように、本実施形態に係る表示装置に依れば、各色成分に対応するデータ信号の順序を同一色が連続しないように制御することが可能である。即ち、隣接するサブフレームそれぞれに対して、互いに異なる色成分に対応したデータ信号を割り当てることが可能となる。そのため、本実施形態に係る表示装置に依れば、前述した比較例に係る表示装置に比べて、カラーブレークアップ現象の顕在化を抑制することが可能となり、ひいてはより高品位な画像を出力することが可能となる。
【００７６】
なお、本説明では、本実施形態に係る表示装置が、図５を参照して説明した例のように、入力される映像信号に対してディザが適用される場合を例に説明した。一方で、本実施形態に係る技術は、図４を参照して説明した例のように、入力される映像信号に対してディザが適用されない場合についても応用することが可能である。この場合には、上述した各制御のうち、所定の期間ごとにデータ信号の極性を反転させることで、各色成分のＤＣバランスがとられるように制御に相当する部分が適用されればよい。
【００７７】
＜＜３．第２の実施形態＞＞
＜３．１．概要＞
続いて、本開示の第２の実施形態として、カラーシーケンシャル駆動を行う場合において、ディザの適用に係る制御をより好適な態様で実現することが可能な技術の一例について説明する。
【００７８】
前述した第１の実施形態に係る表示装置では、複数のサブフレームを含む所定の期間ごとにデータ信号の極性を反転させ、極性反転前の期間と極性反転後の期間とを含む一連の期間において各色成分のＤＣバランスがとられるように制御している。このような制御により、第１の実施形態に係る表示装置に依れば、各色成分に対応するデータ信号の順序を同一色が連続しないように制御することが可能となるため、カラーブレークアップ現象の顕在化を抑制し、ひいてはより高品位な画像を出力することが可能となる。
【００７９】
一方で、図１１及び図１２に示すように、第１の実施形態に係る表示装置においては、ディザパターンの切り替えをフレーム単位で行う場合には、当該ディザパターンの切り替えが２フレームごとに行われることとなる。即ち、この場合には、ディザパターンの繰り返しの周期が４フレームごととなり、比較例２に係る表示装置に比べて、当該繰り返しの周期が長くなる。より具体的には、１フレームが６０Ｈｚの場合には、ディザパターンの繰り返しの周期が１５Ｈｚに相当することとなる。このような場合には、比較例２に係る表示装置に比べて、ディザパターンの切り替えに伴う画面のちらつき（所謂フリッカと称される現象）が顕在化しやすくなる。
【００８０】
このような状況を鑑み、本実施形態では、カラーシーケンシャル駆動を行う場合において、ディザの適用に係る制御をより好適な態様で実現することが可能な技術を提案する。具体的には、第１の実施形態と同様の駆動方法を適用した場合においても、フリッカの顕在化をより抑制することが可能な技術の一例について提案する。
【００８１】
＜３．２．技術的特徴＞
以下に、本実施形態に係る表示装置の技術的特徴について説明する。
【００８２】
（概略構成）
まず、図１３を参照して、本開示の第２の実施形態に係る表示装置の機能構成の一例について説明する。図１３は、本実施形態に係る表示装置の機能構成の一例を示したブロック図である。なお、図１３は、主に、図２に示す例における光変調素子１５０に相当する部分の構成を示している。
【００８３】
図１３に示すように、本実施形態に係る表示装置２００は、表示パネル２０１と、タイミング制御部２０２と、シリアル−パラレル変換部２０３と、ガンマ回路２０４と、ソースドライバ２０５と、ゲートドライバ２０６と、ディザ信号加算部２０７とを含む。表示パネル２０１、タイミング制御部２０２、シリアル−パラレル変換部２０３、ガンマ回路２０４、ソースドライバ２０５、ゲートドライバ２０６、及びディザ信号加算部２０７は、図５に示す例における、表示パネル１９１、タイミング制御部１９２、シリアル−パラレル変化部１９３、ガンマ回路１９４、ソースドライバ１９５、ゲートドライバ１９６、及びびディザ信号加算部１９７にそれぞれ対応している。また、本実施形態に係る表示装置２００は、タイミング制御部２０２及びディザ信号加算部２０７の動作が、図５に示す表示装置１９０と異なる。そこで、以降の説明では、表示装置１９０と異なる部分に着目して説明し、当該表示装置１９０と実質的に同様の部分については詳細な説明は省略する。
【００８４】
なお、図１３に示す構成はあくまで一例であり、必ずしも本実施形態に係る表示装置の構成を限定するものではない。具体的な一例として、図１３に示す各構成のうち、一部の構成が、表示装置の外部に設けられていてもよい。また、図１３に示す各構成のうち、一部の構成が、複数の回路や複数の装置が連携することで実現されてもよい。また、図１３に示す例では、ソースドライバ２０５のうちＤＣバランスの制御に係る部分が、「信号処理部」の一例に相当する。また、ソースドライバ２０５のうち、画素へのデータ信号の供給に係る部分等が、画素の動作を制御する「制御部」の一例に相当する。また、ディザ信号加算部２０７が「加算部」の一例に相当し、ソースドライバ２０５に含まれるＤＡ変換器が「変換部」の一例に相当する。
【００８５】
（駆動方法の概要）
次いで、本実施形態に係る表示装置２００の特徴をよりわかりやすくするために、当該表示装置２００の駆動方法の概要について説明する。例えば、図１４は、本実施形態に係る表示装置の駆動方法の一例について概要を説明するための説明図である。なお、図１４に示す例では、図１１に示す例と同様の順序で色成分ごとの映像信号が入力され、図１１に示す例と同様に、当該映像信号に基づきデータ信号が生成されるものとする。即ち、図１４に示す例において、参照符号Ｄ３１１ｒ、Ｄ３３１ｇ、Ｄ３１１ｂ、Ｄ３３２ｒ、Ｄ３１２ｇ、及びＤ３３２ｂで示したデータ信号は、図１１に示す例における、データ信号Ｄ３１ｒ、Ｄ３３ｇ、Ｄ３１ｂ、Ｄ３３ｒ、Ｄ３１ｇ、及びＤ３３ｂにそれぞれ対応している。また、参照符号Ｄ３１３ｒ及びＤ３３３ｇで示したデータ信号は、Ｒ成分に対応する＋極性のデータ信号と、Ｇ成分に対応する−極性のデータ信号とをそれぞれ示している。なお、データ信号Ｄ３１３ｒ及びＤ３３３ｇは、フレーム内において、各画素に対してデータ信号Ｄ３３２ｂが供給された後に、当該各画素に順次供給される。また、参照符号Ｄ３３４ｒ、Ｄ３１４ｇ、及びＤ３３４ｂで示したデータ信号は、２フレーム目において順次入力される、Ｒ成分に対応する−極性のデータ信号と、Ｇ成分に対応する＋極性のデータ信号と、Ｂ成分に対応する−極性のデータ信号と、を示している。
【００８６】
以上のような構成の基で、本実施形態に係る表示装置２００は、互いに異なる複数の色成分それぞれに基づき生成された各映像信号が入力される順序に応じた、複数のサブフレームを含む所定の周期ごとに、当該映像信号に対して適用するディザパターンを制御する。例えば、図１４に示す例では、Ｒ成分、Ｇ成分、及びＢ成分それぞれに対応する映像信号が、この順序で表示装置２００に逐次入力される。表示装置２００は、Ｒ成分、Ｇ成分、及びＢ成分それぞれの映像信号を１つずつ含む期間（即ち、３サブフレーム）を１つの周期として、当該周期ごとに当該映像信号に対して適用するディザパターンを切り替えている。
【００８７】
具体的には、まず表示装置２００には、データ信号Ｄ３１１ｒ、Ｄ３３１ｇ、及びＤ３１１ｂの生成元となる、Ｒ成分、Ｇ成分、及びＢ成分の映像信号が、この順序で逐次入力される。また、図１４に示す例では、当該ＲＧＢそれぞれの色成分の映像信号に対して、ディザパターンＤ２１０１、Ｄ２１０３、及びＤ２１０５に応じたディザがそれぞれ適用される。なお、ディザパターンＤ２１０１、Ｄ２１０３、及びＤ２１０５は、図９及び図１１に示す例におけるディザパターンＤ２１０に対応している。即ち、参照符号Ｔ２１で示された、ＲＧＢそれぞれの色成分の映像信号が１つずつ含む３サブフレーム分の期間において、当該映像信号に対してディザパターンＤ２１０に応じたディザ信号が加算される。
【００８８】
次いで、表示装置２００には、データ信号Ｄ３３２ｒ、Ｄ３１２ｇ、及びＤ３３２ｂの生成元となる、Ｒ成分、Ｇ成分、及びＢ成分の映像信号が、この順序で逐次入力される。このとき、当該ＲＧＢそれぞれの色成分の映像信号に対して適用されるディザのディザパターンが切り替えられる。具体的には、図１４に示す例では、当該ＲＧＢそれぞれの色成分の映像信号に対して、ディザパターンＤ２３０１、Ｄ２３０３、及びＤ２３０５に応じたディザがそれぞれ適用される。なお、ディザパターンＤ２３０１、Ｄ２３０３、及びＤ２３０５は、図９及び図１１に示す例におけるディザパターンＤ２３０に対応している。即ち、参照符号Ｔ２２で示された、ＲＧＢそれぞれの色成分の映像信号が１つずつ含む３サブフレーム分の期間において、当該映像信号に対してディザパターンＤ２３０に応じたディザ信号が加算される。
【００８９】
次いで、表示装置２００には、データ信号Ｄ３１３ｒ及びＤ３３３ｇの生成元となる、Ｒ成分及びＧ成分の映像信号が、この順序で逐次入力される。このとき、当該ＲＧＢそれぞれの成分の映像信号に対して適用されるディザのディザパターンが再度切り替えられる。具体的には、図１４に示す例では、上記Ｒ成分及びＧ成分それぞれの映像信号に対して、ディザパターンＤ２３０１及びＤ２３０３に応じたディザがそれぞれ適用される。即ち、参照符号Ｔ２３で示された期間において、当該映像信号に対してディザパターンＤ２１０に応じたディザ信号が加算される。
【００９０】
また、映像信号に対して適用されるディザのディザパターンは、当該ディザパターンが切り替えられる周期よりも長い他の周期においてリセットされてもよい。例えば、図１４に示す例では、ディザパターンがフレームごとにリセットされている。具体的には、図１４に示す例では、２フレーム目において、表示装置２００には、データ信号Ｄ３３４ｒ、Ｄ３１４ｇ、及びＤ３３４ｂの生成元となる、Ｒ成分、Ｇ成分、及びＢ成分の映像信号が、この順序で逐次入力される。このとき、当該ＲＧＢそれぞれの成分の映像信号に対して、ディザパターンＤ２１０１、Ｄ２１０３、及びＤ２１０５に応じたディザがそれぞれ適用される。即ち、参照符号Ｔ２４で示された、ＲＧＢそれぞれの色成分の映像信号が１つずつ含む３サブフレーム分の期間において、期間Ｔ２１と同様に、当該映像信号に対してディザパターンＤ２１０に応じたディザ信号が加算されることとなる。
【００９１】
（構成及び制御の詳細）
次いで、本実施形態に係る表示装置２００の構成及び制御について、特に、入力される映像信号に対してディザを適用する部分や、ディザパターンの切り替えに係る部分に着目してより詳細に説明する。
【００９２】
例えば、図１５は、本実施形態に係る表示装置の機能構成の一例を示したブロック図であり、映像信号へのディザパターンの切り替えに係る部分に着目したタイミング制御部２０２及びディザ信号加算部２０７の構成の一例を示している。
【００９３】
図１５に示すように、タイミング制御部２０２には、表示装置２００（例えば、シリアル−パラレル変換部２０３）への映像信号の入力に伴い、当該映像信号を構成する各色成分に対応する情報が入力される。例えば、表示装置２００に入力される映像信号が、図１４に示す例のように、ＲＧＢそれぞれの色成分に対応する映像信号が時系列に沿って並べて構成される場合には、タイミング制御部２０２に入力される当該情報には、ＲＧＢそれぞれの色成分に対応する映像信号に関する情報が含まれる。なお、以降の説明では、表示装置２００に入力される上記映像信号が、ＲＧＢそれぞれの色成分に対応する映像信号が時系列に沿って並べて構成されるものとする。また、タイミング制御部２０２に入力される上記映像信号を構成する各色成分に対応する情報を、「ＲＧＢ情報（RGB  Information）」とも称する。
【００９４】
具体的な一例として、ＲＧＢ情報には、例えば、所定の順序で入力される各色成分に対応する映像信号において、当該順序の先頭に対応するタイミングを示す情報（換言すると、同期のための情報）が含まれてもよい。このような情報により、例えば、タイミング制御部２０２は、所定の順序で順次入力される色成分ごとの映像信号が、どの色成分に対応しているかを認識することが可能となる。
【００９５】
また、他の一例として、ＲＧＢ情報には、色成分ごとに順次入力される映像信号のそれぞれが、どの色成分に対応する映像信号であるかを示す情報が含まれていてもよい。このような情報により、タイミング制御部２０２は、順次入力される映像信号が、どの色成分に対応しているかを認識することが可能となる。
【００９６】
なお、上述したＲＧＢ情報の例はあくまで一例であり、必ずしもＲＧＢ情報に含まれる情報の種別や内容を限定するものではない。即ち、タイミング制御部２０２が、順次入力される映像信号が、どの色成分に対応しているかを認識することが可能であれば、ＲＧＢ情報に含まれる情報は特に限定されない。
【００９７】
また、ＲＧＢ情報は、映像信号とは異なる個別の情報として表示装置２００に入力されてもよい。また、他の一例として、表示装置２００に入力される映像信号に基づき、ＲＧＢ情報が取得されてもよい。具体的な一例として、映像信号に含まれる制御情報が、ＲＧＢ情報として抽出されてもよい。
【００９８】
タイミング制御部２０２は、色成分ごとの映像信号それぞれに対応するカウンタ２０２１と、当該カウンタ２０２１の後段に位置するディザパターン判別部２０２３とを含む。例えば、図１５に示す例では、タイミング制御部２０２は、カウンタ２０２１として、ＲＧＢそれぞれの色成分の映像信号に対応したカウンタ２０２１Ｒ、２０２１Ｇ、及び２０２１Ｂを含む。
【００９９】
カウンタ２０２１は、入力されるＲＧＢ情報に基づき、表示装置２００に対して順次入力される色成分ごとの映像信号のうち、自身に対応する映像信号の数をカウントする。例えば、カウンタ２０２１Ｒは、Ｒ成分に対応する映像信号の数をカウントする。同様に、カウンタ２０２１Ｇは、Ｇ成分に対応する映像信号の数をカウントする。また、カウンタ２０２１Ｂは、Ｂ成分に対応する映像信号の数をカウントする。なお、色成分ごとの映像信号がサブフレームごとに入力される場合には、カウンタ２０２１は、カウントの対象となる色成分ごとの映像信号のサブフレーム数をカウントすることとなる。そして、カウンタ２０２１は、上記カウントの結果に応じたカウンタ値を、後段に位置するディザパターン判別部２０２３に逐次出力する。
【０１００】
ディザパターン判別部２０２３は、前段に位置するカウンタ２０２１から逐次出力されるカウンタ値に応じて、映像信号に対して適用されるディザのディザパターンを判別し、当該判別の結果をディザ信号加算部２０７に通知する。具体的な一例として、ディザパターンの候補として図９及び図１１を参照して前述したディザパターンＤ２１０及びＤ２３０の２種類が設定されているものとする。この場合には、例えば、ディザパターン判別部２０２３は、カウンタ値が偶数の場合には、ディザパターンＤ２１０及びＤ２３０のうちの一方のディザパターンを選択し、カウンタ値が奇数の場合には、他方のディザパターンを選択する。なお、以降の説明では、カウンタ値が偶数の場合には、ディザパターンＤ２１０が選択され、奇数の場合には、ディザパターンＤ２３０が選択されるものとする。
【０１０１】
また、カウンタ２０２１は、リセット信号ＲＳＴが入力されると、カウンタ値をリセットする。これにより、後段の処理により映像信号に対して適用されるディザのディザパターンがリセットされる。具体的な一例として、図１４に示す例の場合には、リセット信号ＲＳＴは、１フレームごとにカウンタ２０２１に供給されることとなる。なお、当該リセットに係る処理については、詳細を別途後述する。
【０１０２】
表示装置２００に対して順次入力される色成分ごとの映像信号は、シリアル−パラレル変換部２０３においてシリアル信号からパラレル信号に変換された後に、ディザ信号加算部２０７に逐次入力される。ディザ信号加算部２０７は、逐次入力される映像信号（即ち、色成分ごとの映像信号）に対して、タイミング制御部２０２（ディザパターン判別部２０２３）からの通知に対応するディザパターンに基づきディザ信号を加算する。なお、このとき、ディザ信号加算部２０７は、タイミング制御部２０２からの通知（即ち、ディザパターンの判別結果）に応じて、ディザパターンを生成してもよい。
【０１０３】
そして、ディザ信号加算部２０７は、ディザ信号が加算された映像信号を、後段に位置するソースドライバ（即ち、図１３に示すソースドライバ２０５）に逐次出力する。なお、以降の処理については、既に前述しているため詳細な説明は省略する。
【０１０４】
次いで、図１６を参照して、本実施形態に係る表示装置２００の駆動方法の一例についてより詳細に説明する。図１６は、本実施形態に係る表示装置の駆動方法の一例について示したタイミング波形図であり、図１５を参照して説明した構成を有する表示装置を、図１４に示す例のように駆動させる場合における制御タイミングの一例について示している。なお、図１６において、ＳＦＩＤ、ＦＩＤ、及びＨＦＩＤのそれぞれは、図１０及び図１２を参照して説明した例と同様である。
【０１０５】
Ｒ  ｃｏｕｎｔ、Ｇ  ｃｏｕｎｔ、及びＢ  ｃｏｕｎｔのそれぞれは、Ｒ成分、Ｇ成分、及びＢ成分それぞれに対応する映像信号のカウント結果に基づくカウンタ値を示している。例えば、Ｒ  ｃｏｕｎｔは、対応する映像信号（即ち、Ｒ成分に対応する映像信号）が最初に入力されると初期値として「０」が設定され、以降においては、当該映像信号が入力されるごとに１ずつ加算される。これは、Ｇ  ｃｏｕｎｔ及びＢ  ｃｏｕｎｔについても同様である。
【０１０６】
また、図１６に示す例では、図１５に示すカウンタ２０２１に対して供給するリセット信号ＲＳＴとして、ＦＩＤが利用されている。即ち、Ｒ  ｃｏｕｎｔ、Ｇ  ｃｏｕｎｔ、及びＢ  ｃｏｕｎｔのそれぞれは、ＦＩＤの立ち上がり及び立ち下がりにおいて、逐次カウントされた結果がリセットされる。
【０１０７】
また、Ｄｉｔｈｅｒは、映像信号に対して適用されるディザパターンを示している。即ち、Ｄｉｔｈｅｒの値が「０」の場合には、映像信号に対して前述したディザパターンＤ２１０が適用され、Ｄｉｔｈｅｒの値が「１」の場合には、映像信号に対して前述したディザパターンＤ２３０が適用される。
【０１０８】
図１５に示す構成を有する表示装置においては、前述したように、ＲＧＢそれぞれの色成分に対応する映像信号のカウント結果に応じて、映像信号に対して適用されるディザのディザパターンが切り替えられる。そのため、例えば、図１６に示す例では、Ｒ  ｃｏｕｎｔ、Ｇ  ｃｏｕｎｔ、及びＢ  ｃｏｕｎｔそれぞれのカウンタ値が偶数を示す場合には、Ｄｉｔｈｅｒの値として「０」が設定されている。即ち、この場合には、映像信号に対してディザパターンＤ２１０が適用されることとなる。また、Ｒ  ｃｏｕｎｔ、Ｇ  ｃｏｕｎｔ、及びＢ  ｃｏｕｎｔそれぞれのカウンタ値が奇数を示す場合には、Ｄｉｔｈｅｒの値として「１」が設定されている。即ち、この場合には、映像信号に対してディザパターンＤ２３０が適用されることとなる。なお、上述のようなディザパターンの切り替えについては、ディザ信号加算部２０７が担ってもよいし、タイミング制御部２０２（例えば、ディザパターン判別部２０２３が担ってもよい。また、表示装置の各構成のうち、ディザパターンの切り替えの主体となる構成（即ち、ディザ信号加算部２０７及びタイミング制御部２０２のうち少なくともいずれか）が、ディザパターンの制御に係る「制御部」の一例に相当する。
【０１０９】
以上のような制御により、本実施形態に係る表示装置２００は、Ｒ成分、Ｇ成分、及びＢ成分それぞれ映像信号を１つずつ含む期間（即ち、３サブフレーム）を１つの周期として、当該周期ごとに当該映像信号に対して適用するディザパターンを切り替えることが可能となる。これにより、本実施形態に係る表示装置２００においては、ディザパターンの切り替えが、１フレームよりも短い周期で行われることとなる。即ち、本実施形態に係る表示装置２００に依れば、図９及び図１１を参照して説明した例に比べて、ディザパターンの切り替えに係る周期をより短くすることが可能となる。
【０１１０】
なお、ディザパターンの切り替え周期ごとにおける画素ごとのディザの適用の有無（即ち、ディザ信号の加算の有無）が、当該切り替え周期よりも長い所定の期間ごとに切り替わる（例えば、反転する）ように、ディザパターンの切り替えが制御されてもよい。例えば、図１６に示す例では、ディザパターンの切り替え周期ごとの各画素に対するディザの適用の有無が、２フレームごとに反転するように（即ち、０を１に設定され、１を０に設定されるように）制御されている。より具体的には、図１６に示す例では、１及び２フレーム目では、カウンタが偶数の場合にはＤｉｔｈｅｒの値として「０」が設定され、カウンタが奇数の場合にはＤｉｔｈｅｒの値として「１」が設定されている。これに対して、３及び４フレーム目では、カウンタが偶数の場合にはＤｉｔｈｅｒの値として「１」が設定され、カウンタが奇数の場合にはＤｉｔｈｅｒの値として「０」が設定されている。即ち、図１６に示す例では、各画素へのディザの適用の有無が、２フレームごとに切り替えられることとなる。このような構成により、各色成分のＤＣバランスに加えて、ディザ１ビット分のＤＣバランスを取ることも可能となる。
【０１１１】
なお、本実施形態では、各色成分のＤＣバランスを取るための仕組みとして、前述した第１の実施形態と同様の手法を適用する場合の例について説明した。即ち、図１４及び図１６に示す例では、１フレームごとにデータ信号の極性を反転させ、連続する２フレーム内において各色成分のＤＣバランスがとられるように制御している。一方で、本実施形態に係る表示装置においては、色成分ごとの映像信号が入力される順序に応じた、複数のサブフレームを含む所定の周期ごとに、当該映像信号に対して適用するディザパターンが適用されれば、ＤＣバランスを取るための手法は特に限定されない。即ち、本実施形態に係る表示装置においては、各色成分のＤＣバランスを取るための仕組みとして、前述した第１の実施形態とは異なる手法が適用されてもよい。
【０１１２】
（処理の流れ）
続いて、図１７を参照して、本実施形態に係る表示装置２００の一連の処理の流れの一例について説明する。図１７は、本実施形態に係る表示装置２００の一連の処理の流れの一例を示したフローチャートである。なお、本説明では、表示装置２００は、図１３及び図１５に示す構成を有するものとする。また、図１７に示す例では、各色成分のＤＣバランスを取るための仕組みとして、前述した第１の実施形態と同様の手法が適用されているものとする。また、本説明では、表示装置２００に入力される映像信号が、ＲＧＢそれぞれの色成分に対応する映像信号が時系列に沿って並べて構成されるものとする。
【０１１３】
表示装置２００（カウンタ２０２１）は、ＲＧＢの色成分ごとに順次入力される映像信号に関するＲＧＢ情報に基づき、当該色成分ごとに映像信号をカウントする（Ｓ１０１）。また、表示装置２００（ディザパターン判別部２０２３）は、色成分ごとの映像信号のカウンタ値に応じて、映像信号に対して適用されるディザのディザパターンを決定する（Ｓ１０３）。
【０１１４】
なた、表示装置２００（シリアル−パラレル変換部２０３）は、順次入力される色成分ごとの映像信号をシリアル信号からパラレル信号に変換する。また、表示装置２００（ディザ信号加算部２０７）は、当該映像信号に対して、ディザパターンの決定結果に応じたディザ信号を加算する（Ｓ１０５）。そして、表示装置２００（ソースドライバ２０５）は、ディザ信号が加算されたデジタルの映像信号をアナログの映像信号に変換することで、入力される映像信号に応じて各画素に供給するデータ信号（即ち、当該映像信号が示す階調に応じた電圧のデータ信号）を生成する（Ｓ１０７）。
【０１１５】
次いで、表示装置２００（ソースドライバ２０５）は、入力される映像信号に基づき生成したデータ信号の極性をフレームごとに制御する（Ｓ１０９）。例えば、表示装置２００は、偶数フレームと奇数フレームとの間で、データ信号の極性が反転するように制御してもよい。そして、表示装置２００（ソースドライバ２０５）は、極性が制御されたデータ信号を各画素に供給する（Ｓ１１１）。即ち、当該データ信号に応じたアナログ電圧が当該画素に書き込まれる。なお、データ信号が供給された各画素は、所望の駆動タイミングで駆動信号が供給されることで駆動する。これにより、当該データ信号に応じた画像が表示される。
【０１１６】
以上、図１７を参照して、本実施形態に係る表示装置２００の一連の処理の流れの一例について説明した。
【０１１７】
＜３．３．変形例＞
続いて、本実施形態に係る表示装置２００の変形例について説明する。
【０１１８】
（変形例１：ＲＧＢＷでのカラーシーケンシャル駆動における制御例）
前述した実施形態では、ＲＧＢの３色でのカラーシーケンシャル駆動を想定した制御の一例について説明した。一方で、本実施形態に係る技術は、カラーシーケンシャル駆動であれば、表示対象となる色の種別や色の数は特に限定されない。そこで、変形例１として、ＲＧＢにＷ（白色）を加えた４色でのカラーシーケンシャル駆動を想定した場合における制御の一例について説明する。
【０１１９】
例えば、図１８は、本実施形態の変形例１に係る表示装置の駆動方法の一例について説明するための説明図であり、ＲＧＢＷの４色でのカラーシーケンシャル駆動を想定した制御の一例を示している。図１８に示す例において、参照符号Ｄ３１１ｒ、Ｄ３３１ｇ、Ｄ３１１ｂ、Ｄ３３２ｒ、Ｄ３１２ｇ、及びＤ３３２ｂで示したデータ信号は、図１４に示す例において、同様の符号が付されたデータ信号を示している。また、参照符号Ｄ３３１ｗ及びＤ３１２ｗは、Ｗ成分に対応する−極性のデータ信号と、Ｗ成分に対応する＋極性のデータ信号と、をそれぞれ示している。
【０１２０】
図１８に示す例では、Ｒ成分、Ｇ成分、Ｂ成分、及びＷ成分それぞれに対応する映像信号が、この順序で表示装置２００に逐次入力される。このような前提の基で、図１８に示す例では、表示装置２００は、前述した第１の実施形態に係る技術を応用し、１フレーム内において各色成分のＤＣバランスがとられるように制御している。具体的には、Ｒ成分、Ｇ成分、Ｂ成分、及びＷ成分それぞれの映像信号を１つずつ含む１／２フレーム（即ち、４サブフレーム）ごとにデータ信号の極性を反転させることで、１フレーム内において各色成分のＤＣバランスがとられるように制御している。
【０１２１】
また、図１８に示す例では、表示装置２００は、Ｒ成分、Ｇ成分、Ｂ成分、及びＷ成分それぞれの映像信号を１つずつ含む期間（即ち、４サブフレーム）を１つの周期として、当該周期ごとに当該映像信号に対して適用するディザパターンを切り替えている。
【０１２２】
具体的には、まず表示装置２００には、データ信号Ｄ３１１ｒ、Ｄ３３１ｇ、Ｄ３１１ｂ、及びＤ３３１ｗの生成元となる、Ｒ成分、Ｇ成分、Ｂ成分、及びＷ成分の映像信号が、この順序で逐次入力される。また、図１８に示す例では、当該ＲＧＢＷそれぞれの色成分の映像信号に対して、ディザパターンＤ２１０１、Ｄ２１０３、Ｄ２１０５、及びＤ２１０７に応じたディザがそれぞれ適用される。なお、ディザパターンＤ２１０１、Ｄ２１０３、Ｄ２１０５、及びＤ２１０７は、図９及び図１１に示す例におけるディザパターンＤ２１０に対応している。即ち、参照符号Ｔ３１で示された、ＲＧＢＷそれぞれの色成分の映像信号が１つずつ含む４サブフレーム分の期間において、当該映像信号に対してディザパターンＤ２１０に応じたディザ信号が加算される。
【０１２３】
次いで、表示装置２００には、データ信号Ｄ３３２ｒ、Ｄ３１２ｇ、Ｄ３３２ｂ、及びＤ３１２ｗの生成元となる、Ｒ成分、Ｇ成分、Ｂ成分、及びＷ成分の映像信号が、この順序で逐次入力される。このとき、当該ＲＧＢＷそれぞれの色成分の映像信号に対して適用されるディザのディザパターンが切り替えられる。具体的には、図１８に示す例では、当該ＲＧＢＷそれぞれの色成分の映像信号に対して、ディザパターンＤ２３０１、Ｄ２３０３、Ｄ２３０５、及びＤ２３０７に応じたディザがそれぞれ適用される。なお、ディザパターンＤ２３０１、Ｄ２３０３、Ｄ２３０５、及びＤ２３０７は、図９及び図１１に示す例におけるディザパターンＤ２３０に対応している。即ち、参照符号Ｔ３２で示された、ＲＧＢＷそれぞれの色成分の映像信号が１つずつ含む４サブフレーム分の期間において、当該映像信号に対してディザパターンＤ２３０に応じたディザ信号が加算される。
【０１２４】
また、図１８に示す例では、図１４を参照して説明した例と同様に、映像信号に対して適用されるディザのディザパターンは、フレームごとにリセットされる。
【０１２５】
また、図１９は、本実施形態の変形例１に係る表示装置の駆動方法の一例について示したタイミング波形図であり、表示装置を、図１８に示す例のように駆動させる場合における制御タイミングの一例について示している。なお、図１９において、ＳＦＩＤ、ＦＩＤ、ＨＦＩＤ、Ｄｉｔｈｅｒ、Ｒ  ｃｏｕｎｔ、Ｇ  ｃｏｕｎｔ、及びＢ  ｃｏｕｎｔのそれぞれは、図１６を参照して説明した例と同様である。また、Ｗ  ｃｏｕｎｔは、Ｗ成分に対応する映像信号のカウント結果に基づくカウンタ値を示している。また、図１９に示す例では、図１６を参照して説明した例と同様に、カウンタのリセット信号ＲＳＴとして、ＦＩＤが利用されている。即ち、Ｒ  ｃｏｕｎｔ、Ｇ  ｃｏｕｎｔ、Ｂ  ｃｏｕｎｔ、及びＷ  ｃｏｕｎｔのそれぞれは、ＦＩＤの立ち上がり及び立ち下がりにおいて、逐次カウントされた結果がリセットされる。
【０１２６】
また、図１９に示す例では、Ｒ  ｃｏｕｎｔ、Ｇ  ｃｏｕｎｔ、Ｂ  ｃｏｕｎｔ、及びＷ  ｃｏｕｎｔそれぞれのカウンタ値が偶数を示す場合には、Ｄｉｔｈｅｒの値として「０」が設定されている。即ち、この場合には、映像信号に対してディザパターンＤ２１０が適用されることとなる。また、Ｒ  ｃｏｕｎｔ、Ｇ  ｃｏｕｎｔ、Ｂ  ｃｏｕｎｔ、及びＷ  ｃｏｕｎｔそれぞれのカウンタ値が奇数を示す場合には、Ｄｉｔｈｅｒの値として「１」が設定されている。即ち、この場合には、映像信号に対してディザパターンＤ２３０が適用されることとなる。
【０１２７】
以上のような制御により、ＲＧＢＷの４色でのカラーシーケンシャル駆動を想定した場合においても、本開示に係る技術を応用することが可能となる。
【０１２８】
以上、変形例１として、図１８及び図１９を参照して、ＲＧＢＷの４色でのカラーシーケンシャル駆動を想定した場合における制御の一例について説明した。
【０１２９】
（変形例２：ディザの適用に関する制御例）
続いて、変形例２として映像信号に対するディザの適用に関する制御の一例について説明する。例えば、前述した実施形態では、Ｎビットの映像信号に対してＮ−１ビットのデジタル−アナログ変換が施される状況下において、ディザを適用することで中間階調を表現可能とする技術の一例について説明した。一方で、Ｎビットの映像信号に対して施されるデジタル−アナログ変換の処理のビット数を、Ｎ−１ビットよりもさらに削減することも可能である。そこで、本変形例では、Ｎビットの映像信号に対して、Ｎ−ｍビット（ｍ＜Ｎ）のデジタル−アナログ変換を施す場合におけるディザの適用に関する制御の一例について説明する。
【０１３０】
例えば、図２０は、本実施形態の変形例２に係る表示装置の概要について説明するための説明図であり、映像信号に基づきデータ信号が生成される部分の信号処理の一例について示している。図２０に示すように、変形例２に係る表示装置では、入力されるＮビットのデジタルの映像信号に対して、ディザ信号が加算され、当該ディザ信号が加算された当該映像信号に対してデジタル−アナログ変換が施される。また、図２０に示す例では、入力される映像信号に対して施される各種処理の分解能（ビット数）、例えば、ディザの加算に係る処理と、デジタル−アナログ変換に係る処理と、のそれぞれの分解能は、当該映像信号のビット数よりもｍビット小さく設定されている。
【０１３１】
また、映像信号に対するディザ信号の加算については、所定の周期ごとに制御される。なお、本説明では、変形例２に係る表示装置の特徴をよりわかりやすくするために、映像信号に対するディザ信号の加算がフレームごとに制御されるものとする。また、このとき、ディザ信号の加算の対象となるフレームは、映像信号のビット数と、当該映像信号に施される信号処理（例えば、ディザの加算に係る処理やデジタル−アナログ変換に係る処理）の分解能（即ち、ビット数）と、の間の差に応じて制御される。そこで、図２１を参照して、ディザの加算に係る処理やデジタル−アナログ変換に係る処理の分解能が、映像信号のビット数よりも２ビット小さい場合について説明する。図２１は、本実施形態の変形例２に係る表示装置における、映像信号に対するディザの適用に係る処理の一例について説明するための説明図であり、入力される映像信号と、ディザ適用後の信号との関係の一例を模式的に示している。なお、図２１では、入力信号のビット数が４ビットであり、ディザ適用後の信号のビット数が２ビットである場合の一例について示している。また、ディザ適用後の信号については、時系列に沿ってフレームごとにビット値を示している。
【０１３２】
図２１に示すように、４ビットの入力信号が２ビットの信号に変換された場合には、例えば、末尾の２ビットの情報が損なわれる。即ち、４ビットの入力信号の末尾の２ビットが「００」の場合（例えば、「００００」、「０１００」の場合）には、２ビットの信号に変換された場合にも再現が可能である。これに対して、入力信号の末尾の２ビットが「０１」、「１０」、及び「１１」の場合（例えば、「０００１」、「００１０」、「００１１」の場合）には、２ビットの信号では再現が困難となる。そのため、図２１に示す例では、４ビットの入力信号のビット値（換言すると、階調）に応じて、２ビットに変換後の信号に対してフレームごとにディザ信号を加算することで、２ビットでは表現が困難な中間階調を再現している。
【０１３３】
具体的には、図２１に示す例では、４フレームを１セットとして、入力信号のビット値に応じてフレームごとにディザを適用することで、２ビットでは表現が困難な中間階調（例えば、参照符号Ｄ４０１で示された「００」と「０１」との間の階調）が再現されている。具体的には、４フレーム中の２フレーム目から４フレーム目までにおいて、ディザが適用されるフレーム数が、表現する階調に応じて制御される。
【０１３４】
例えば、図２１に示す例において、１フレーム目から４フレーム目までに着目する。入力信号のビット値が「０００１」の場合には、２フレーム目のみにおいてディザが適用される。即ち、この場合には、１フレーム目から４フレーム目までのうちディザが適用されるフレームの数は１となる。また、入力信号のビット値が「００１０」の場合には、２フレーム目及び３フレーム目においてディザが適用される。即ち、この場合には、１フレーム目から４フレーム目までのうちディザが適用されるフレームの数は２となる。また、入力信号のビット値が「００１１」の場合には、２フレーム目から４フレーム目までディザが適用される。即ち、この場合には、１フレーム目から４フレーム目までのうちディザが適用されるフレームの数は３となる。
【０１３５】
このような制御により、ユーザは、ビット値「００」に対応する階調の光と、ビット値「０１」に対応する階調の光と、をフレームごとに時分割で視認することとなる。また、このとき、４フレーム中において、ビット値「００」に対応する階調の光と、ビット値「０１」に対応する階調の光と、のそれぞれが占める割合が、入力信号の階調に応じて制御される。これにより、当該ユーザには、入力信号のビット値に応じて、「００」と「００」との中間階調（例えば、ビット値「０００１」、「００１０」、及び「００１１」に対応する光）が知覚されることとなる。
【０１３６】
以上のように、変形例２に係る表示装置においては、再現する中間階調の数に応じたフレーム数を１セットとして、映像信号に対するディザの適用が時分割で制御される。このような構成により、映像信号のビット数と、当該映像信号に施される信号処理の分解能と、の間の差が２ビット以上の場合においても、当該分解能では表現が困難な中間階調を再現することが可能となる。なお、上記では、フレームごとにディザの適用の有無が制御される場合を例に説明したが、前述の通り、当該ディザの適用に係る周期は必ずしもフレームごとには限定されない。具体的な一例として、１フレームよりも短い周期でディザの適用の有無が制御されてもよい。
【０１３７】
以上、変形例２として、図２０及び図２１を参照して、映像信号に対するディザの適用に関する制御の一例について、特に、Ｎビットの映像信号に対して、Ｎ−ｍビット（ｍ＜Ｎ）のデジタル−アナログ変換を施す場合に着目して説明した。
【０１３８】
＜３．４．評価＞
以上説明したように、本実施形態に係る表示装置は、互いに異なる複数の色成分それぞれに基づき生成され、かつフレームを構成するサブフレームごとに所定の順序で入力される、上記色成分ごとのデジタルの映像信号に対してディザ信号を加算する。また、このとき、表示装置は、上記フレーム内において、上記色成分ごとのデジタルの映像信号が入力される上記順序に応じた、複数のサブフレームを含む所定の周期ごとに、上記ディザ信号のパターン（即ち、ディザパターン）を制御する。そのうえで、表示装置は、ディザ信号が加算されたデジタルの映像信号をアナログの映像信号にデジタル−アナログ変換する。
【０１３９】
以上のような構成により、本実施形態に係る表示装置においては、ディザパターンの切り替えがより短い周期（例えば、図９及び図１１に示す例よりも短い周期）で行われることとなる。そのため、本実施形態に係る表示装置に依れば、カラーシーケンシャル駆動を行う場合において、フリッカの顕在化をより抑制することが可能となる。特に、本実施形態に係る表示装置においては、第１の実施形態として前述した各色成分のＤＣバランスに関する制御を適用した場合においても、ディザパターンの切り替え周期を長くする必要がないため、より好適な態様で画像を表示させることが可能となる。
【０１４０】
＜＜４．応用例＞＞
続いて、本開示の一実施形態に係る技術の応用例について説明する。例えば、図２２は、本開示の一実施形態に係る表示装置の応用例について説明するための説明図である。
【０１４１】
図２２に示すように、表示装置５００は、センサボックス５２０と、表示情報を提示するための出力部５３０と、表示装置５００の各種動作を制御する制御部が設けられた本体５１０とを含む。
【０１４２】
表示装置５００は、例えば、テーブル５４０等の上方に、当該テーブル５４０の天面側を向くように設置される。表示装置５００は、テーブル５４０の天面を投影面として、出力部５３０に表示情報を投影させることで、ユーザに対して当該表示情報を提示し、投影された表示情報に対する、表示装置５００を使用するユーザからの操作を受け付ける。なお、参照符号Ｍ５５０は、出力部５３０により情報（即ち、表示情報）が投影される領域（即ち、投影面）を示している。
【０１４３】
また、センサボックス５２０には、所謂センサのように、各種情報を検知する検知部５２１が設けられている。検知部５２１は、表示装置５００を使用するユーザの操作内容や、テーブル５４０に置かれている物体の形状や模様などを認識する。例えば、図２２に示す例では、検知部５２１は、テーブル５４０の上方から当該テーブル５４０の天面上に向けて検知範囲が形成されるように設置される。すなわち、検知部５２１は、情報が表示される対象となるテーブル５４０とは離隔して設けられる。
【０１４４】
具体的な一例として、検知部５２１は、所謂測距センサにより構成され得る。また、他の一例として、検知部５２１は、例えば１つの撮像光学系（例えば、一連のレンズ群）でテーブル５４０を撮像するカメラや、２つの撮像光学系でテーブル５４０を撮像して奥行き方向の情報を記録することが可能なステレオカメラにより構成されてもよい。なお、本説明では、検知部５２１は、所謂ステレオカメラとして構成されているものとして説明する。
【０１４５】
検知部５２１としてステレオカメラが用いられる場合には、そのステレオカメラには、例えば可視光カメラや赤外線カメラ等が適用され得る。検知部５２１してステレオカメラが用いられることで、検知部５２１は、深度情報を取得することが可能となる。検知部５２１が、深度情報を取得することで、表示装置５００は、例えばテーブル５４０の上に置かれた手や物体等の実オブジェクトを検出することが可能となる。また検知部５２１が、深度情報を取得することで、表示装置５００は、テーブル５４０へのユーザの手のような操作体の接触及び近接や、テーブル５４０からの操作体の離脱を検出することが可能となる。
【０１４６】
このような構成により、表示装置５００は、テーブル５４０の天面上の領域Ｍ５５０に投影された表示情報に対して、ユーザが手等の操作体による操作を認識し、当該操作の内容に応じて各種機能を実行することが可能となる。
【０１４７】
図２２に示す表示装置５００においては、例えば、出力部５３０の駆動方式としてカラーシーケンシャル駆動が採用されている場合には、前述した各実施形態に係る技術を応用することが可能である。即ち、各色成分のＤＣバランスを取るための仕組みとして、前述した第１の実施形態に係る手法を適用することも可能である。また、映像信号に対してディザを適用する場合において、当該ディザのパターンの切り替えに係る制御に、前述した第２の実施形態に係る手法を適用することも可能である。
【０１４８】
また、本開示の各実施形態に係る技術は、カラーシーケンシャル駆動を採用した表示装置であれば応用することが可能である。そのため、本実施形態に係る技術が適用される表示装置は、必ずしも上述したような投射型の表示装置のみには限定されない。具体的な一例として、ＨＭＤ（Head  Mounted  Display）やメガネ型のウェアラブルデバイス等のような、所謂頭部装着型のディスプレイについても、カラーシーケンシャル駆動を採用していれば、本実施形態に係る技術を応用することが可能である。また、車載用のディスプレイ等として採用されるヘッドアップディスプレイや、デジタルカメラ等の撮像装置に採用される電子ビューファインダ等に対して、本実施形態に係る技術を応用することが可能である。また、一般的な液晶ディスプレイに対しても、当該ディスプレイがカラーシーケンシャル駆動を採用している場合には、本実施形態に係る技術を応用することが可能である。
【０１４９】
＜＜５．むすび＞＞
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１５０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１５１】
なお、以下のような構成も本開示の技術的範囲に属する。
（１）
互いに異なる複数の色成分それぞれに基づき生成され、かつフレームを構成するサブフレームごとに所定の順序で入力される、前記色成分ごとのデジタルの映像信号に対してディザ信号を加算する加算部と、
前記ディザ信号が加算された前記デジタルの映像信号をアナログの映像信号にデジタル−アナログ変換する変換部と、
前記フレーム内において、前記色成分ごとの前記デジタルの映像信号が入力される前記順序に応じた、複数の前記サブフレームを含む所定の周期ごとに、前記ディザ信号のパターンを制御する制御部と、
を備える、表示装置。
（２）
前記周期の長さは、前記フレームの長さよりも短い、前記（１）に記載の表示装置。
（３）
前記周期は、互いに隣接するサブフレームに対して互いに異なる前記色成分に対応した前記デジタルの映像信号が割り当てられるように設定される、前記（１）または（２）に記載の表示装置。
（４）
映像信号に基づき、画素に書き込むデータ信号を生成する信号処理部を備え、
前記信号処理部は、前記周期である第１の周期以上の長さを有する第２の周期ごとに前記データ信号の極性を制御する、
前記（１）〜（３）のいずれか一項に記載の表示装置。
（５）
前記第２の周期の長さは、フレーム単位の長さである、前記（４）に記載の表示装置。
（６）
前記加算部は、前記第１の周期ごとにおける画素ごとの前記ディザ信号の加算の有無が、当該第１の周期を超える長さを有する第３の周期ごとに切り替わるように制御する、前記（４）または（５）に記載の表示装置。
（７）
前記デジタル−アナログ変換のビット数は、前記デジタルの映像信号のビット数よりも小さい、前記（１）〜（６）のいずれか一項に記載の表示装置。
（８）
前記複数の色成分は、Ｒ成分、Ｇ成分、及びＢ成分を含む、前記（１）〜（７）のいずれか一項に記載の表示装置。
（９）
投影面に対して前記アナログの映像信号に基づく映像を投影することで、当該映像を表示させる投影部を備える、前記（１）〜（８）のいずれか一項に記載の表示装置。
（１０）
互いに異なる複数の色成分それぞれに基づき生成され、かつフレームを構成するサブフレームごとに所定の順序で入力される前記色成分ごとの映像信号に基づくデータ信号の極性を、複数のサブフレームを含む所定の周期ごとに制御する信号処理部と、
前記極性が制御された前記データ信号に基づき画素の動作を制御する制御部と、
を備える、表示装置。
（１１）
前記所定の周期の長さは、フレーム単位の周期である、前記（１０）に記載の表示装置。
（１２）
互いに隣接するサブフレームに対して互いに異なる前記色成分に対応した前記データ信号が割り当てられる、前記（１０）または（１１）に記載の表示装置。
（１３）
投影面に対して前記映像信号に基づく映像を投影することで、当該映像を表示させる投影部を備える、前記（１０）〜（１２）のいずれか一項に記載の表示装置。
（１４）
コンピュータが、
互いに異なる複数の色成分それぞれに基づき生成され、かつフレームを構成するサブフレームごとに所定の順序で入力される、前記色成分ごとのデジタルの映像信号に対してディザ信号を加算することと、
前記ディザ信号が加算された前記デジタルの映像信号をアナログの映像信号にデジタル−アナログ変換することと、
前記フレーム内において、前記色成分ごとの前記デジタルの映像信号が入力される前記順序に応じた、複数の前記サブフレームを含む所定の周期ごとに、前記ディザ信号のパターンを制御することと、
を含む、表示装置の駆動方法。
（１５）
コンピュータが、
互いに異なる複数の色成分それぞれに基づき生成され、かつフレームを構成するサブフレームごとに所定の順序で入力される前記色成分ごとの映像信号に基づくデータ信号の極性を、複数のサブフレームを含む所定の周期ごとに制御することと、
前記極性が制御された前記データ信号に基づき画素の動作を制御することと、
を含む、表示装置の駆動方法。
【符号の説明】
【０１５２】
１００    表示装置
１１０    光源
１３０    光学系
１５０    光変調素子
２００    表示装置
２０１    表示パネル
２０２    タイミング制御部
２０２１、２０２１Ｇ、２０２１Ｇ、２０２１Ｂ  カウンタ
２０２３  ディザパターン判別部
２０３    シリアル−パラレル変換部
２０４    ガンマ回路
２０５    ソースドライバ
２０６    ゲートドライバ
２０７    ディザ信号加算部
【図１】
2019053239.tif 000003
【図２】
2019053239.tif 000004
【図３】
2019053239.tif 000005
【図４】
2019053239.tif 000006
【図５】
2019053239.tif 000007
【図６】
2019053239.tif 000008
【図７】
2019053239.tif 000009
【図８】
2019053239.tif 000010
【図９】
2019053239.tif 000011
【図１０】
2019053239.tif 000012
【図１１】
2019053239.tif 000013
【図１２】
2019053239.tif 000014
【図１３】
2019053239.tif 000015
【図１４】
2019053239.tif 000016
【図１５】
2019053239.tif 000017
【図１６】
2019053239.tif 000018
【図１７】
2019053239.tif 000019
【図１８】
2019053239.tif 000020
【図１９】
2019053239.tif 000021
【図２０】
2019053239.tif 000022
【図２１】
2019053239.tif 000023
【図２２】
2019053239.tif 000024